(57)【要約】【課題】設置位置を変更する為に、装置を引き摺るようにして設置面上を移動させると設置面に傷が付く虞がある。傷か付かない様に装置全体を完全に持ち上げる場合、重さのため移動が容易ではないことがある。【解決手段】スキャナー１は、装置本体１１の底部２７に回転体３０を備え、装置本体１１を設置する設置面Ｇに回転体３０が接触し、回転体３０の回転を伴って装置本体１１の設置面Ｇ上での移動が可能となる移動可能状態と、移動可能状態より設置面Ｇに対する装置本体１１の底部２７の接触面積が大きく、装置本体１１を設置面Ｇに設置して使用する状態である設置状態と、を切り換え可能に構成される。【選択図】図８
2020161953.tif 000002
【特許請求の範囲】
【請求項１】
媒体が搬送される搬送経路に設けられる搬送手段と、
前記搬送経路を搬送される媒体に所定の処理を行う処理部と、を備え、
前記搬送手段及び前記処理部を内部に備える装置本体の底部に回転体を備え、
前記装置本体を設置する設置面に前記回転体が接触し、前記回転体の回転を伴って前記装置本体の前記設置面上での移動が可能となる移動可能状態と、
前記移動可能状態より前記設置面に対する前記底部の接触面積が大きく、前記装置本体を前記設置面に設置して使用する状態である設置状態と、を切り換え可能に構成される、
ことを特徴とする媒体搬送装置。
【請求項２】
請求項１に記載の媒体搬送装置において、
前記装置本体は、前記処理部による処理後の媒体を排出する排出部を備え、前記装置本体において前記排出部による媒体排出方向を前方、その反対方向を後方とした場合に、前記回転体は、前記装置本体において後方の下部に設けられ、
前記回転体は、前記設置状態において前記設置面から離れており、
前記設置状態から前記装置本体を後方に傾けた傾斜姿勢にすることで前記回転体が前記設置面に接触し、前記装置本体が前記移動可能状態に切り換わる、
ことを特徴とする媒体搬送装置。
【請求項３】
請求項２に記載の媒体搬送装置において、
前記装置本体の前方に設けられ、前記装置本体の姿勢を変える際にユーザーが手を掛けることが可能な手掛け部を備える、
ことを特徴とする媒体搬送装置。
【請求項４】
請求項３に記載の媒体搬送装置において、
前記装置本体は、前記搬送経路を内部に備える第１部位と、前記第１部位を揺動可能に支持するとともに前記底部を形成する第２部位と、を備え、
前記回転体及び前記手掛け部は、前記第２部位に設けられる、
ことを特徴とする媒体搬送装置。
【請求項５】
請求項４に記載の媒体搬送装置において、
前記回転体と前記手掛け部とは、装置前後方向において、前記装置本体の重心を挟んで配置される、
ことを特徴とする媒体搬送装置。
【請求項６】
請求項２から請求項５のいずれか一項に記載の媒体搬送装置において、
前記回転体は、第１ローラーと第２ローラーとの二つのローラーを備え、
第１ローラーと第２ローラーとは、装置前後方向と交差する装置幅方向の中央部を挟んで配置される、
ことを特徴とする媒体搬送装置。
【請求項７】
請求項１から請求項６のいずれか一項に記載の媒体搬送装置において、前記設置状態から前記移動可能状態への切り換わりを検出可能な検出部と、
操作入力を受け付ける操作部と、
前記操作部に対する操作入力結果及び前記検出部による検出結果に基づいて、前記媒体搬送装置の動作を制御する制御部と、を備え、
前記制御部は、前記検出部の検出情報に基づいて装置の状態が前記設置状態から前記移動可能状態に切り換わったと判断した場合、前記操作部を、操作入力を受け付けない入力禁止状態とする、
ことを特徴とする媒体搬送装置。
【請求項８】
前記処理部として媒体の画像を読み取る読取部を備える、請求項１から請求項７のいずれか一項に記載の前記媒体搬送装置を備える、
ことを特徴とする画像読取装置。
【発明の詳細な説明】
【技術分野】
【０００１】
本発明は、媒体を搬送する媒体搬送装置、および前記媒体搬送装置を備える画像読取装置に関する。
【背景技術】
【０００２】
画像読取装置の一例であるスキャナーには、媒体搬送装置によって複数枚の媒体を自動で読取部に向けて送り、読取部による読み取りを行うものがある。一例として、特許文献１には、媒体搬送装置によって搬送される媒体を読み取る読取部を備えたスキャナーが開示されている。  
尚、媒体搬送装置は、媒体に記録を行う記録部を備える記録装置に設けられ、即ち記録装置が媒体搬送装置によって記録部に向けて複数枚の媒体を送るように構成される場合もある。
【先行技術文献】
【特許文献】
【０００３】
【特許文献１】特表２００９−５２７１４３号公報
【発明の概要】
【発明が解決しようとする課題】
【０００４】
媒体搬送装置を備える画像読取装置や記録装置は机や棚の上に設置される場合がある。その際、設置位置を変更する為に、装置を引き摺るようにして机や棚の設置面上を移動させることがあるが、このように移動させると設置面に傷がつく虞がある。装置全体を完全に持ち上げて移動すれば設置面に傷は付かないが、画像読取装置や記録装置などは小型のものでも比較的重量があるものが多く、装置を持ち上げての移動は容易ではない。
【課題を解決するための手段】
【０００５】
上記課題を解決する本発明の媒体搬送装置は、媒体が搬送される搬送経路に設けられる搬送手段と、前記搬送経路を搬送される媒体に所定の処理を行う処理部と、を備え、前記搬送手段及び前記処理部を内部に備える装置本体の底部に回転体を備え、前記装置本体を設置する設置面に前記回転体が接触し、前記回転体の回転を伴って前記装置本体の前記設置面上での移動が可能となる移動可能状態と、前記移動可能状態より前記設置面に対する前記底部の接触面積が大きく、前記装置本体を前記設置面に設置して使用する状態である設置状態と、を切り換え可能に構成される、ことを特徴とする。
【図面の簡単な説明】
【０００６】
【図１】第１実施形態に係るスキャナーを前方から見た斜視図。
【図２】第１実施形態に係るスキャナーを後方から見た斜視図。
【図３】排出トレイ及び給送トレイが展開状態にされたスキャナーの斜視図。
【図４】図３に示すスキャナーの状態から、補助排出トレイ及び補助給送トレイが引き出された状態のスキャナーの斜視図。
【図５】スキャナーにおける搬送経路を表す側断面図。
【図６】支持部材に対する筐体の角度が図１と異なるスキャナーの斜視図。
【図７】スキャナーにおける搬送経路を表す平面図。
【図８】装置本体の設置状態と移動可能状態との切り換えについて説明する図。
【図９】図１に示されるスキャナーの側断面図。
【図１０】図９の要部拡大図。
【図１１】第１実施形態に係るスキャナーを図１とは別の角度から見た斜視図。
【図１２】第１実施形態に係るスキャナーの側面図。
【発明を実施するための形態】
【０００７】
以下、本発明について概略的に説明する。  
第１の態様に係る媒体搬送装置は、媒体が搬送される搬送経路に設けられる搬送手段と、前記搬送経路を搬送される媒体に所定の処理を行う処理部と、を備え、前記搬送手段及び前記処理部を内部に備える装置本体の底部に回転体を備え、前記装置本体を設置する設置面に前記回転体が接触し、前記回転体の回転を伴って前記装置本体の前記設置面上での移動が可能となる移動可能状態と、前記移動可能状態より前記設置面に対する前記底部の接触面積が大きく、前記装置本体を前記設置面に設置して使用する状態である設置状態と、を切り換え可能に構成される、ことを特徴とする。
【０００８】
本態様によれば、前記媒体搬送装置は、前記搬送手段及び前記処理部を内部に備える装置本体の底部に回転体を備え、前記装置本体を設置する設置面に前記回転体が接触し、前記回転体の回転を伴って前記装置本体の前記設置面上での移動が可能となる移動可能状態と、前記移動可能状態より前記設置面に対する前記装置本体の底部の接触面積が大きく、前記装置本体を前記設置面に設置して使用する状態である設置状態と、を切り換え可能に構成されるので、前記装置本体を完全に持ち上げるよりも小さい力で、前記装置本体を前記設置面上で容易に移動させることができる。
【０００９】
第２の態様は、第１の態様において、前記装置本体は、前記処理部による処理後の媒体を排出する排出部を備え、前記装置本体において前記排出部による媒体排出方向を前方、その反対方向を後方とした場合に、前記回転体は、前記装置本体において後方の下部に設けられ、前記回転体は、前記設置状態において前記設置面から離れており、前記設置状態から前記装置本体を後方に傾けた傾斜姿勢にすることで前記回転体が前記設置面に接触し、前記装置本体が前記移動可能状態に切り換わる、ことを特徴とする。
【００１０】
本態様によれば、前記回転体は、前記設置状態において前記設置面から離れており、前記設置状態から前記装置本体を後方に傾けた傾斜姿勢にすることで前記回転体が前記設置面に接触し、前記装置本体が前記移動可能状態に切り換わるので、ユーザーが前記装置本体を前方から持ち上げて、前記装置本体を移動させ易い構成とすることができる。
【００１１】
第３の態様は、第２の態様において、前記装置本体の前方に設けられ、前記装置本体の姿勢を変える際にユーザーが手を掛けることが可能な手掛け部を備える、ことを特徴とする。
【００１２】
本態様によれば、前記装置本体に設けられ、前記装置本体の姿勢を変える際にユーザーが手を掛けることが可能な手掛け部を備えるので、前記装置本体の姿勢を変える際の操作性を良好にすることができる。
【００１３】
第４の態様は、第３の態様において、前記装置本体は、前記搬送経路を内部に備える第１部位と、前記第１部位を揺動可能に支持するとともに前記底部を形成する第２部位と、を備え、前記回転体及び前記手掛け部は、前記第２部位に設けられる、ことを特徴とする。
【００１４】
本態様によれば、前記装置本体が、前記搬送経路を内部に備える第１部位と、前記第１部位を揺動可能に支持するとともに前記底部を形成する第２部位と、を備える構成の媒体搬送装置において、第３の態様と同様の作用効果が得られる。  
また、前記第１部位は、前記第２部位に対して揺動可能であるので、装置の使用時における前記第１部位の姿勢を所望する姿勢にすることができ、操作性が向上する。
【００１５】
第５の態様は、第４の態様において、前記回転体と前記手掛け部とは、装置前後方向において、前記装置本体の重心を挟んで配置される、ことを特徴とする。
【００１６】
本態様によれば、前記回転体と前記手掛け部とは、装置前後方向において、前記装置本体の重心を挟んで配置されるので、手掛け部が前記重心よりも前記回転体に近い位置に設けられている場合よりも、少ない力で容易に前記装置本体を後方に傾斜させることができる。
【００１７】
第６の態様は、第２の態様から第５の態様のいずれかにおいて、前記回転体は、第１ローラーと第２ローラーとの二つのローラーを備え、第１ローラーと第２ローラーとは、装置前後方向と交差する装置幅方向の中央部を挟んで配置される、ことを特徴とする。
【００１８】
本態様によれば、  前記回転体は、第１ローラーと第２ローラーとの二つのローラーを備え、第１ローラーと第２ローラーとは、装置前後方向と交差する装置幅方向の中央部を挟んで配置されるので、前記移動可能状態において、装置本体の安定した移動を実現できる。
【００１９】
第７の態様は、第１の態様から第６の態様のいずれかにおいて、前記設置状態から前記移動可能状態への切り換わりを検出可能な検出部と、操作入力を受け付ける操作部と、前記操作部に対する操作入力結果及び前記検出部による検出結果に基づいて、前記媒体搬送装置の動作を制御する制御部と、を備え、前記制御部は、前記検出部の検出情報に基づいて装置の状態が前記設置状態から前記移動可能状態に切り換わったと判断した場合、前記操作部を、操作入力を受け付けない入力禁止状態とする、ことを特徴とする。
【００２０】
装置の移動中に前記搬送手段による媒体の搬送が行われると、搬送精度が低下する虞があり、また装置の移動中に前記処理部による処理が行われると、所望する処理結果が得られない虞がある。しかしながら本態様によれば、前記制御部は、前記検出部の検出情報に基づいて装置の状態が前記設置状態から前記移動可能状態に切り換わったと判断した場合、前記操作部を、操作入力を受け付けない入力禁止状態とするので、上述の問題を回避することができる。
【００２１】
第８の態様に係る画像読取装置は、前記処理部として媒体の画像を読み取る読取部を備える、第１の態様から第７の態様のいずれかの前記媒体搬送装置を備えることを特徴とする。
【００２２】
本態様によれば、第１の態様から第７の態様のいずれかの前記媒体搬送装置と、前記処理部として媒体の画像を読み取る読取部と、を備える画像読取装置において、第１の態様から第７の態様のいずれかと同様の作用効果が得られる。
【００２３】
［第１実施形態］
まず、本発明の一実施形態に係る媒体搬送装置及び画像読取装置の概略について、図を参照しつつ説明する。本実施形態では画像読取装置の一例として、媒体の表面及び裏面の少なくとも一面を読み取り可能な、図１に示されるスキャナー１を例に挙げる。スキャナー１は、書類等の原稿を読み取る、所謂ドキュメントスキャナーである。  
スキャナー１は、図５に示されるように、媒体としての原稿Ｐが搬送される搬送経路Ｒに設けられる搬送手段としての給送ローラー１４、搬送ローラー対１６、及び排出ローラー対１７と、所定の処理を行う処理部であって、所定の処理として原稿Ｐを読み取る読取処理を行う読取部２０と、を備える媒体搬送装置１０を備えて構成されている。尚、スキャナー１全体を、媒体搬送装置１０と見做すこともできる。
【００２４】
各図において示すＸ−Ｙ−Ｚ座標系は、Ｘ方向が装置幅方向であり、Ｙ方向が装置前後方向であり、装置奥行方向である。Ｚ方向は上下方向であり、高さ方向を示している。また、＋Ｙ方向を装置前方とし、−Ｙ方向を装置後方とする。また、装置前方から見て左方向を＋Ｘ方向、右方向を−Ｘ方向とする。また、＋Ｚ方向を装置上方とし、−Ｚ方向側を装置下方とする。また、原稿Ｐが搬送されていく方向を「下流」といい、これと反対の方向を「上流」という。
【００２５】
＜スキャナーの概要＞
以下、図１から図５を参照して、本発明に係るスキャナー１について説明する。  
スキャナー１は、図５に示される搬送手段としての給送ローラー１４、搬送ローラー対１６、及び排出ローラー対１７と、処理部としての読取部２０を内部に備える装置本体１１を備えている。装置本体１１の底部２７に回転体３０を備えている。スキャナー１の要部である回転体３０については、スキャナーの概要と搬送経路について説明した後で詳しく説明する。
【００２６】
装置本体１１は、図５に示される搬送経路Ｒを内部に備える第１部位としての筐体２と、筐体２を揺動可能に支持するとともに装置本体１１の底部２７を形成する第２部位としての支持部材５と、を備えている。装置本体１１の底部２７を設置面Ｇ（図５を参照）に接触させることで、スキャナー１が設置面Ｇに設置される。尚、スキャナー１は、図５に示されるように支持部材５に複数の足部４１が設けられている（図９も参照）。装置本体１１の底部２７は、装置本体１１において設置面Ｇと対向する部分であり、本実施形態においては支持部材５の下面２７ａと足部４１の下面２７ｂが底部２７を構成する。スキャナー１を設置面Ｇに置くと、主として足部４１が設置面Ｇに対して接触する。尚、スキャナー１は足部４１を設けない構成とすることができ、その場合には支持部材５の下面２７ａが底部２７を構成するとともに設置面Ｇに対して接触する。
【００２７】
筐体２は、筐体２の内側に設けられる揺動軸部２６（図１を参照）を中心として揺動する構成である。尚、装置本体１１は、筐体２（第１部位）と支持部材５（第２部位）とによって構成される場合の他、支持部材５を設けず、筐体２自体を装置本体１１として設置面Ｇに設置する構成とすることもできる。
【００２８】
筐体２は、図１に示されるように筐体２の下部を構成する下部ユニット３と、筐体２の上部を構成する上部ユニット４と、によって構成されている。  
上部ユニット４は、図５に示す回動軸４ａに対して回動し、図５において実線で示すように下部ユニット３を覆う閉状態と、図５において二点鎖線で示すように下部ユニット３を開放する開状態と、を切り換え可能に構成されている。上部ユニット４を開状態とすることにより搬送経路Ｒを露呈させ、筐体２内部のメンテナンスを行うことができる。尚、スキャナー１における搬送経路Ｒについては、スキャナー１の概要について説明した後に詳しく説明する。
【００２９】
筐体２は、前述したように、支持部材５に支持されて、装置本体１１が構成されている。  
図３に示されるように、筐体２の後方上部には、図５に示される搬送経路Ｒへの原稿Ｐの供給口である供給部６と、供給部６から供給する原稿Ｐが載置される給送トレイ８が設けられている。給送トレイ８には、原稿Ｐとして、単票紙を複数枚重ねて束にして載置することができる。また、給送トレイ８には、原稿Ｐとして、パスポートや通帳のような冊子体をシートホルダーに入れてセットすることもできる。  
給送トレイ８は、図５に示される回動軸８ａを中心として筐体２に対して回動可能に設けられている。
【００３０】
また、装置本体１１を構成する筐体２の前方下部には、読取部２０による読み取り処理後の原稿Ｐを排出する排出部１８と、排出部１８から排出される原稿Ｐを受ける排出トレイ１９が設けられている。スキャナー１において、装置本体１１に設けられる排出部１８による媒体排出方向が前方、その反対方向が後方である。排出トレイ１９は、図５に示される回動軸１９ａを中心として筐体２に対して回動可能に設けられている。
【００３１】
スキャナー１は、図１に示されるように、給送トレイ８及び排出トレイ１９の双方が筐体２の一部を覆う収納状態と、図３に示されるように、給送トレイ８及び排出トレイ１９の双方に原稿Ｐを載置可能な展開状態と、を切り換え可能に構成されている。スキャナー１の非使用時には、給送トレイ８及び排出トレイ１９を収納状態とすることで筐体２のカバーとして利用しつつ、装置をコンパクト化することができる。
【００３２】
また、筐体２は、支持部材５による支持姿勢を、図１に示す姿勢から図６に示す姿勢に変更可能に構成されている。図１から図５において、筐体２は同じ姿勢になっており、図１から図５の各図における筐体２の姿勢は、原稿Ｐを搬送して読取部２０による画像読取を実行する際の姿勢である。一方、図６において筐体２は、図１において前方下部に位置する排出部１８が、下を向く姿勢で支持部材５に支持されている。筐体２を図６の姿勢とすることにより、スキャナー１の前後方向であるＹ軸方向のサイズをコンパクトにできる。また、排出部１８から筐体２の内部に塵埃等が入り込む虞を低減できる。
【００３３】
また、図示を省略するが、図１よりも排出部１８からの媒体排出方向が水平に近づく方向に筐体２を揺動させて、画像読取を実行することもできる。このように、装置の使用時における筐体２の姿勢を所望する姿勢にすることで、操作性が向上する。筐体２の姿勢は、例えば、不図示の姿勢ロック手段によりいくつかのポジションでロック可能に構成されており、姿勢ロック手段を解除することで筐体２の姿勢を変えることができる。勿論、筐体２の姿勢を無段階に変えることができるようにすることも可能である。尚、本実施形態において筐体２は支持部材５に対して揺動可能に取り付けられているが、筐体２は、図１に示す姿勢で支持部材５に対して固定することもできる。
【００３４】
給送トレイ８には、図３に示されるように、原稿Ｐの媒体搬送方向と交差する幅方向（Ｘ軸方向）の側縁をガイドするエッジガイド１２ａ、１２ｂが設けられている。  
エッジガイド１２ａ、１２ｂは、原稿Ｐのサイズに応じてＸ軸方向にスライド移動可能に設けられている。本実施形態において、エッジガイド１２ａ、１２ｂは、公知のラックピニオン機構により＋Ｘ側のエッジガイド１２ａのＸ移動に追従して、−Ｘ側のエッジガイド１２ｂが相対する方向に移動するように構成されている。  
給送トレイ８において原稿Ｐは幅方向の中央に揃えられ、所謂、センター給紙方式で給紙されるように構成されている。
【００３５】
また、給送トレイ８は、図４に示されるように給送トレイ８から引き出した状態と、図３に示されるように給送トレイ８内に収納された状態と、を切り換え可能な補助給送トレイ９を備えている。補助給送トレイ９は、第１補助給送トレイ９ａ、第２補助給送トレイ９ｂ、第３補助給送トレイ９ｃの３段のトレイによって構成されている。補助給送トレイ９を、図４のように引き出した状態とすることにより、給送トレイ８の長さを延長することができる。また、図３に示されるように補助給送トレイ９を給送トレイ８内に収納してから、給送トレイ８を図１に示す収納状態とすることができる。
【００３６】
排出トレイ１９は、図４に示されるように、排出部１８から排出される原稿Ｐを受ける第１トレイ２１と、第１トレイ２１に対して展開且つ収納可能に構成された第２トレイ２２を備えている。また、第２トレイ２２は、第２トレイ２２に対して展開可能且つ収納可能な第３トレイ２３を備えている。更に、第３トレイ２３は、第３トレイ２３に対して展開可能且つ収納可能な第４トレイ２４を備えている。第２トレイ２２、第３トレイ２３、第４トレイ２４により、排出トレイ１９の媒体排出方向長さを更に延長することができる。  
第４トレイ２４の先端には、第４トレイ２４に対して折りたたみ可能に形成され、排出トレイ１９に載置された原稿Ｐの＋Ｙ方向への移動を規制する規制部２５が設けられている。第２トレイ２２、第３トレイ２３、第４トレイ２４、及び規制部２５を収納してから、排出トレイ１９を図１に示す収納状態とすることができる。
【００３７】
また、図３及び図４に示されるように、上部ユニット４には、操作入力を受け付ける操作部としての操作パネル７が設けられている。操作パネル７には、一例としてタッチパネル式に構成することができ、装置操作に係る内容の表示に加え、各種設定、読み取り実行等の操作を行えるようにすることができる。また、スキャナー１における各種動作は、図５に示される制御部１３によって制御されている。
【００３８】
＜媒体搬送経路について＞
以下、主として図５を参照して、スキャナー１における搬送経路Ｒについて説明しつつ、スキャナー１（媒体搬送装置１０）の構成について更に詳しく説明する。給送トレイ８から原稿Ｐが供給される搬送経路Ｒには、搬送手段として、媒体搬送方向の上流から順に、給送ローラー１４、搬送ローラー対１６、排出ローラー対１７が配置されている。  
給送ローラー１４は、原稿Ｐが載置される給送トレイ８から原稿Ｐが搬送される搬送経路Ｒに媒体を送り出す。搬送ローラー対１６は、給送ローラー１４に対して媒体搬送方向の下流に設けられ、原稿Ｐを搬送する。排出ローラー対１７は、読取部２０の下流に設けられ、読取部２０による読み取り処理後の原稿Ｐを排出する。
【００３９】
図５において給送ローラー１４と対向する位置には、給送ローラー１４と接触して給送ローラー１４との間で原稿Ｐを分離する分離ローラー１５が設けられている。また、図７に示されるように給送ローラー１４及び分離ローラー１５は、装置幅方向における中央部Ｃの両側に対称に配置されている。
【００４０】
搬送ローラー対１６は、駆動源により駆動される駆動ローラー１６ａと、駆動ローラー１６ａの回転に従動回転する従動ローラー１６ｂとにより構成されている。図７に示されるように搬送ローラー対１６は、装置幅方向における中央部Ｃの両側に対称に配置されている。
【００４１】
排出ローラー対１７は、後述する読取部２０による読み取り後の原稿Ｐを筐体２から排出する排出手段であり、駆動源により駆動される排出駆動ローラー１７ａと排出従動ローラー１７ｂとにより構成されている。図７に示されるように排出ローラー対１７は、装置幅方向における中央部Ｃの両側に対称に配置されている。
【００４２】
給送ローラー１４、駆動ローラー１６ａ、及び排出駆動ローラー１７ａは、下部ユニット３に対して回転可能に設けられている。また、給送ローラー１４と対向する位置に設けられる分離ローラー１５、従動ローラー１６ｂ、及び排出従動ローラー１７ｂは、上部ユニット４に対して回転可能に設けられている。
【００４３】
給送トレイ８に載置された原稿Ｐは、給送ローラー１４によりピックアップされ、給送ローラー１４と分離ローラー１５との間で一枚に分離されてから搬送ローラー対１６に向けて送られる。具体的には、原稿Ｐの給送トレイ８に対向する面、すなわち下面に、給送ローラー１４が接触しつつ回転することにより、原稿Ｐを下流に向けて給送する。したがって、スキャナー１において複数枚の原稿Ｐを給送トレイ８にセットした場合には、下側の原稿Ｐから順に下流に向けて給送される。
【００４４】
給送ローラー１４によって給送された原稿Ｐは、搬送ローラー対１６によって読取部２０に向けて搬送される。  
読取部２０は、搬送ローラー対１６に対して媒体搬送方向の下流に設けられ、搬送経路Ｒを搬送される原稿Ｐを読み取る第１読取手段２０ａと、搬送経路Ｒを挟んで第１読取手段２０ａと対向して設けられ、搬送経路Ｒを搬送される原稿Ｐを読み取る第２読取手段２０ｂと、を備えている。  
第１読取手段２０ａ及び第２読取手段２０ｂは、一例として密着型イメージセンサーモジュール（ＣＩＳＭ）として構成されている。
【００４５】
第１読取手段２０ａは、下部ユニット３に固定して設けられている。第２読取手段２０ｂは上部ユニット４に設けられ、第１読取手段２０ａに対して進退する方向に変位可能に構成されている。第１読取手段２０ａ及び第２読取手段２０ｂは、図７に示すように、装置幅方向（Ｘ軸方向）に長い形状に形成されている。  
第１読取手段２０ａは、原稿Ｐにおいて下側を向く面を読み取り、第２読取手段２０ｂはその反対面、原稿Ｐにおいてつまり上側を向く面を読み取る。  
原稿Ｐは、少なくとも一方の面を読取部２０において読み取られた後、読取部２０の下流に位置する排出ローラー対１７によって排出部１８から排出される。
【００４６】
尚、本実施形態において給送ローラー１４、分離ローラー１５、駆動ローラー１６ａ、及び排出駆動ローラー１７ａは、不図示の駆動源によって回転駆動される。これらのローラーは、すべて同じ駆動源により駆動する構成の他、二以上の駆動源により駆動する構成とすることができる。  
本実施形態においては、一例として、分離ローラー１５、駆動ローラー１６ａ、及び排出駆動ローラー１７ａが共通の駆動源により駆動され、給送ローラー１４が別の駆動源により駆動されるように構成されている。  
また、スキャナー１において、搬送手段の動作、読取部２０の動作等の画像読み取りに係る動作は、制御部１３によって制御される。
【００４７】
＜回転体について＞
図２に示される装置本体１１の底部２７に設けられる回転体３０について説明する。  
回転体３０は、図９及び図１０に示されるように、装置本体１１において後方の下部、すなわち、支持部材５の後方の下部に設けられている。回転体３０は、装置本体１１に設けられる軸部３１に対して回転可能に構成されている。回転体３０は、図２に示されるように、第１ローラー３０ａと第２ローラー３０ｂとの二つのローラーを備えている。  
図２において、第１ローラー３０ａと第２ローラー３０ｂとは、装置前後方向（Ｙ軸方向）と交差する装置幅方向（Ｘ軸方向）の中央部Ｃを挟んで配置されている。より具体的には、第１ローラー３０ａと第２ローラー３０ｂは、装置幅方向において、中央部Ｃに対して対称に配置されている。
【００４８】
第１ローラー３０ａ及び第２ローラー３０ｂは、一例として、ポリアセタール（ＰＯＭ）等の樹脂材料により形成することができる。  
尚、以下において、第１ローラー３０ａと第２ローラー３０ｂとを特に区別する必要が無い場合には、第１ローラー３０ａと第２ローラー３０ｂとを合わせて回転体３０と言うものとする。
【００４９】
スキャナー１は、図８の右図に示される、装置本体１１を設置する設置面Ｇに回転体が接触し、回転体３０の回転を伴って装置本体１１の設置面Ｇ上での移動が可能となる移動可能状態と、図８の左図に示される、移動可能状態より設置面Ｇに対する装置本体１１の底部２７の接触面積が大きく、装置本体１１を設置面Ｇに設置して使用する状態である設置状態と、を切り換え可能に構成される。
【００５０】
本実施形態において回転体３０は、図８の左図に示される設置状態において設置面Ｇから離れており、設置状態から、図８の右図に示されるように装置本体１１を後方に傾けた傾斜姿勢にすることで回転体３０が設置面Ｇに接触し、装置本体１１が移動可能状態に切り換わるように構成されている。
【００５１】
このようにスキャナー１が、図８の右図に示される移動可能状態と、図８の左図に示される設置状態と、を切り換え可能に構成されることにより、装置本体１１を完全に持ち上げるよりも小さい力で、装置本体１１を設置面Ｇ上で容易に移動させることができる。
【００５２】
また、装置本体１１が、設置状態から装置本体１１を後方に傾けた傾斜姿勢にすることで移動可能状態に切り換わるので、ユーザーが装置本体１１を前方から持ち上げて、装置本体１１を装置前後方向に移動させ易い構成とすることができる。
【００５３】
回転体３０が、装置幅方向の中央部Ｃ（図２を参照）を挟んで間隔を空けて配置された第１ローラー３０ａと第２ローラー３０ｂを備えて構成されることにより、移動可能状態（図８の右図を参照）において、装置本体１１の安定した移動を実現できる。  
尚、回転体３０は、第１ローラー３０ａ及び第２ローラー３０ｂの二つのローラーを備える構成に限られず、少なくとも一つのローラーを備える構成とすることができる。少なくとも一つのローラーは、装置幅方向の中央部Ｃに対して対称に配置されることが望ましい。また、回転体３０としては、円筒状のローラーに限られず、例えばボールローラーを用いることもできる。
【００５４】
＜スキャナーにおける他の構成＞
装置本体１１の前方には、図１に示されるように、装置本体１１の姿勢を変える際にユーザーが手を掛けることが可能な手掛け部４０が設けられている。本実施形態において、手掛け部４０は、回転体３０と同じ支持部材５に設けられている。手掛け部４０は、支持部材５の前方であって、装置幅方向の両側に設けられる第１手掛け部４０ａと第２手掛け部４０ｂ（図１１も参照）とを備えている。図１及び図１１に示されるように、第１手掛け部４０ａと第２手掛け部４０ｂとは、左右対称に設けられている。スキャナー１に手掛け部４０が設けられていることにより、装置本体１１の姿勢を変える際の操作性を良好にすることができる。
【００５５】
また、回転体３０と手掛け部４０とは、図１２に示されるように、装置前後方向において、装置本体１１の重心Ｍを挟んで配置されている。言い換えると、回転体３０と手掛け部４０とは、装置前後方向において、回転体３０から装置本体１１の重心Ｍまでの距離Ｌ１よりも、回転体３０から手掛け部４０までの距離Ｌ２が長くなるように配置されている。
【００５６】
回転体３０と手掛け部４０が、装置前後方向において、装置本体１１の重心Ｍに対してこのような関係で配置されることにより、手掛け部４０が装置本体１１の重心Ｍよりも回転体３０に近い位置に設けられている場合よりも、少ない力で容易に装置本体１１を後方に傾斜させることができる。  
尚、装置本体１１の重心Ｍは、装置側面視で、支持部材５に対して揺動する筐体２の揺動軸部２６とほぼ同じ位置にあり、筐体２が支持部材５に対して、排出部１８からの媒体排出方向が水平に近づく方向に筐体２が揺動されても、図６のように排出部１８が下を向くように揺動されても、重心Ｍの位置は大きく変動しない。したがって、支持部材５に対する筐体２の姿勢が変えられた場合でも、距離Ｌ２＞距離Ｌ１の関係は変わらず、手掛け部４０を持つことで容易に装置本体１１を後方に傾けることができる。
【００５７】
また、スキャナー１には、図８に示されるように、設置状態から移動可能状態への切り換わりを検出可能な検出部３２を設けることができる。検出部３２は、一例として、支持部材５の下面２７ａ（底部２７）に対して進退する方向に変位可能な検出レバー３３と、検出レバー３３を検出する検出センサー３４と、を備える構成とすることができる。検出センサー３４は、例えば、光を発する発光部と、発光部から発せられた光を受光する受光部を備え、受光部が光を受光するか否かで検出レバー３３の有無を検出する光センサーを用いることができる。  
検出レバー３３は、不図示のバネ等の押圧手段により下面２７ａから突出する方向、すなわち、装置本体１１の設置状態において下方に押圧されている。
【００５８】
検出レバー３３は、図８の左図に示される装置本体１１の設置状態では、突出方向の先端が設置面Ｇに接触することで、装置本体１１（支持部材５）の内部に退避した状態となって検出センサー３４に検出される。図８の右図に示されるように、装置本体１１が移動可能状態に切り換わり、検出センサー３４が設置面Ｇから離れるとともに検出レバー３３が不図示の押圧手段の押圧力により下面２７ａから突出する方向に変位し、検出レバー３３は検出センサー３４によって検出されなくなる。以上のような検出部３２の検出情報に基づき、スキャナー１の動作を制御する制御部１３は、以下の様な制御を行うことができる。
【００５９】
すなわち、制御部１３は、検出部３２の検出情報に基づいてスキャナー１の状態が設置状態から移動可能状態に切り換わったと判断した場合、操作部としての操作パネル７を、操作入力を受け付けない入力禁止状態とする。本実施形態においては、検出部３２の検出レバー３３が検出センサー３４によって検出される状態から検出されない状態に切り換わったことをもって、制御部１３は、スキャナー１の状態が設置状態から移動可能状態に切り換わったと判断する。
【００６０】
スキャナー１の移動中に搬送手段による原稿Ｐの搬送が行われると、搬送精度が低下する虞があり、スキャナー１の移動中に読取部２０による読み取り処理が行われると、良好な読み取り結果が得られない虞がある。本実施形態では、制御部１３が、スキャナー１の状態が設置状態から移動可能状態に切り換わったと判断した場合に、操作パネル７が入力禁止状態にされるので、上述の問題を回避することができる。  
また、制御部１３が、スキャナー１の状態が設置状態から移動可能状態に切り換わったと判断した場合に、例えば、スキャナー１をスリープ状態や休止状態、或いは電源オフ状態にするように構成することもできる。この構成によっても、装置の移動中に原稿Ｐが搬送されたり、読み取りが行われたりすることで生じる不具合を回避できる。
【００６１】
＜スキャナーにおける変更例＞
回転体３０は、図８の左図に示す装置本体１１の設置状態においては、設置面Ｇから離れているが、回転体３０が装置本体１１の設置状態において設置面Ｇに接触する構成とすることもできる。回転体３０が装置本体１１の設置状態において設置面Ｇに接触する場合、回転体３０は、設置面Ｇとの間の摩擦抵抗により回転が規制されるように配設すること望ましい。
【００６２】
また、図８に示される回転体３０を上下方向に変位可能に構成し、回転体３０を、設置面Ｇから離れた位置と、設置面Ｇに対して接触する位置と、の間で変位可能な変位手段を設け、変位手段によって、回転体３０が設置面Ｇに接触しない状態と、回転体３０が設置面Ｇに接触する状態とを切り換えることで、設置状態と移動可能状態とを切り換える構成とすることもできる。
【００６３】
また、図８において、回転体３０を上下方向に変位させるのではなく、例えば足部４１を支持部材５に対して進退可能に構成し、足部４１が支持部材５の下面２７ａから突出することで回転体３０が設置面Ｇから離れる状態と、足部４１が支持部材５に対して収納されるように下面２７ａから退避することで回転体３０が設置面Ｇに対して接触する状態と、を切り換え可能な切り換え手段を設けることも可能である。このような切り換え手段によっても、装置本体１１の設置状態と移動可能状態とを切り換えることができる。
【００６４】
また、回転体３０を装置本体１１の装置後方の下部ではなく、装置本体１１の装置前方の下部に設け、装置本体１１を後方から前方に傾けた傾斜姿勢とすることで、設置状態と移動可能状態とを切り換えるように構成することもできる。また、回転体３０を装置本体１１のいずれか一方の側方の下部に設け、装置本体１１を前後方向ではなく、左右方向のいずれかに傾けた傾斜姿勢とすることで、設置状態と移動可能状態とを切り換えるように構成することもできる。
【００６５】
媒体搬送装置１０は、画像読取装置としてのスキャナー１に限られず、例えば、搬送経路を搬送される媒体に対して記録処理を行う記録部を、媒体に所定の処理を行う処理部として備える記録装置に対して採用することもできる。
【００６６】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６７】
１…スキャナー（画像読取装置）、２…筐体（第１部位）、３…下部ユニット、４…上部ユニット、５…支持部材（第２部位）、６…供給部、７…操作パネル、８…給送トレイ、８ａ…回動軸、９…補助給送トレイ、９ａ…第１補助給送トレイ、９ｂ…第２補助給送トレイ、９ｃ…第３補助給送トレイ、１０…媒体搬送装置、１１…装置本体、１２ａ、１２ｂ…エッジガイド、１３…制御部、１４…給送ローラー、１５…分離ローラー、１６…搬送ローラー対、１６ａ…駆動ローラー、１６ｂ…従動ローラー、１７…排出ローラー対、１７ａ…排出駆動ローラー、１７ｂ…排出従動ローラー、１８…排出部、１９…排出トレイ、１９ａ…回動軸、２０…読取部、２０ａ…第１読取手段、２０ｂ…第２読取手段、２１…第１トレイ、２２…第２トレイ、２３…第３トレイ、２４…第４トレイ、２５…規制部、２６…揺動軸部、２７…底部、３０…回転体、３０ａ…第１ローラー、３０ｂ…第２ローラー、３１…軸部、３２…検出部、３３…検出レバー、３４…検出センサー、４０…手掛け部、４０ａ…第１手掛け部、４０ｂ…第２手掛け部、４１…足部、Ｐ…原稿（媒体）
【図１】
2020161953.tif 000003
【図２】
2020161953.tif 000004
【図３】
2020161953.tif 000005
【図４】
2020161953.tif 000006
【図５】
2020161953.tif 000007
【図６】
2020161953.tif 000008
【図７】
2020161953.tif 000009
【図８】
2020161953.tif 000010
【図９】
2020161953.tif 000011
【図１０】
2020161953.tif 000012
【図１１】
2020161953.tif 000013
【図１２】
2020161953.tif 000014